(57)【特許請求の範囲】
【請求項１】
ノズル本体（２）の導液口（３）に連通する竪軸方向の通液孔（５）を頂面に貫通しない程度に設けると共に、通液孔（５）の上端に連通する状態にほぼ水平なスリット（６）を前方解放状態に形成して通液孔（５）の開口部に対向する拡散体（７）を設け、加圧液供給源（８）から送給される加圧液を通液孔（５）から噴出して拡散体（７）に衝突させつつ、拡散体（７）における衝突面に沿って偏向並びに分散させるようにした型式の散水用ノズルであって、前記拡散体（７）における衝突面に通液孔（５）に対応する軸心付近からＶ字を呈する放射状に誘導溝（９）を設け、誘導溝（９）付近の指向方向における流量が増加されるように構成し、長方形区域に散水することができるようにした長方形散水用ノズル。
【請求項２】
前記拡散体（７）における前記衝突面の下流部分の少なくとも前方に部分的な抵抗部（１１）を突設し、前方への散水を抑制すると共に、両側方向への散水が助長されるように構成したことを特徴とする請求項１に記載の長方形散水用ノズル。
【請求項３】
断面が弓形の前記誘導溝（９）を採択したことを特徴とする請求項１または請求項２に記載の長方形散水用ノズル。
【請求項４】
拡散体（７）を前記ノズル本体（１）とは別体に製作して固着したことを特徴とする請求項１ないし請求項３のいずれか１項に記載の長方形散水用ノズル
【発明の詳細な説明】
【０００１】
【発明の属する技術分野】
本発明は、公園，街路，道路の植栽帯、建物周辺の植込み、建物内の植え込み、屋上緑化、栽培植物、運動場、競技場等の散水に好適なノズルに関し、詳しくは散水域が長方形に形成される型式のノズルに関するものである。
【０００２】
【従来の技術】
従来の散水ノズルは、その散水域が大体において、円形，半円形，扇形に形成されるのが普通である。
【０００３】
【発明が解決しようとする課題】
公園や街路の植栽帯，建物周辺の植込み等においては、その形状は長方形が比較的多い関係上、散水ノズルを設置する場合、散水域が従来のように円形，半円形のノズルを使用すると、図３（ｂ）のように重複散水する面積が広くなり、均斉かつ効率よく散水することが困難である。
【０００４】
そこで本発明の目的は、散水域が長方形に形成される型式のノズルを提供することにあり、他の目的は、長方形部分に均斉な散水が可能なノズルを提供することにある。
【０００５】
【課題を解決するための手段】
本発明は上記目的を達成するため、放出ジェットを前方の拡散体に衝突させて偏向並びに分散させるようにし、かつ拡散体には一対もしくは複数対の溝を放射状に設け、あるいは前方に部分的に抵抗部を突設して長方形区域に散水することができるようにしたことを主要部とするものである。
【０００６】
上記構成により、放出ジェットは前方の拡散体に衝突してこの拡散体の衝突面に沿ってほぼ水平方向に扁平化しつつ、ほぼ１８０°の角度のもとに拡散すると同時に微小水滴化され、かつ拡散の過程において放射状の溝部分には流量が集中する傾向のもとに水滴流が強化されて角部への散水が形成し、長方形の散水が実現するのであって、また前方に部分的に抵抗部を突設した場合は、前方への散水が抑制されると共に、両側方向への散水が助長され、長方形の散水が実現する。
【０００７】
【発明の実施の形態】
以下、本発明の長方形散水用ノズルを図示した実施形態について詳細に説明する。
【０００８】
本発明の適用対象としての散水用ノズル１としては、例えば図１および図２に示すように、ノズル本体２の下端付近に竪軸方向に導液口３を開設してこれに給液管４を接続し、かつノズル本体２には導液口３に連通する竪軸方向の通液孔５を頂面に貫通しない程度に穿設し、更に通液孔５の上端に連通する状態にほぼ水平なスリット６を前方解放状態に形成して通液孔５の開口部に対向する拡散体７を設け、これにより加圧液供給源８から給液管４を経て送給される加圧液を通液孔５から噴出して拡散体７に衝突させつつ、拡散体７における衝突面に沿って偏向並びに分散させるようにした型式を採択するのが適当である。
【０００９】
上記型式に対する本発明の特殊構成としては、拡散体７における衝突面に断面が弓形の誘導溝９を通液孔５に対応する軸心付近からＶ字を呈する放射状に設け、これにより誘導溝９における液流を強化すると同時にその液流に誘引されて誘導溝９付近の流量が増加されるように構成する。
【００１０】
上記構成により、加圧液供給源８から給液管４を経て２〜３ｋｇ／ｃｍ２程度の加圧水を送給することにより、通液孔５から噴射するジェット水は拡散体７に衝突して衝突面に沿い水平方向に扁平化しつつ、ほぼ１８０°の角度のもとに拡散すると同時に微小水滴化され、かつ拡散の過程において放射状の誘導溝９部分には流量が集中する傾向のもとに水流が増強され、しかもその強化水流に誘引されて誘導溝９付近の流量も増加し、これにより誘導溝９の延長方向に角部が形成される状態のもとに、前方４ｍ×側方１０ｍ程度の長方形の散水が実現するのであって、広い散水対象に適用する場合には、図３（ａ）のように、複数の散水用ノズル１を散水対象の周囲において各散水用ノズル１からの長方形散水区域が隣接散水区域と僅かに重複する状態のもとに一定間隔に配設することにより、重複する散水面積は著しく限定されて、均斉かつ効率のよい散水が可能となる。
【００１１】
前記拡散体７の衝突面に形成する誘導溝９の断面形状については、弓形以外に長方形，Ｖ字形，台形，半円形等、適宜選択することができるのであり、なお散水域の形状および面積については、設計に当り、拡散体７における衝突面の形状，誘導溝９の深さと幅との比，誘導溝９の断面積，両誘導溝９の相互角度，通液孔５の形状および流通断面積，スリット６の厚み，加圧水の圧力等により左右される関係上、これら諸条件を適切に組み合わせることが重要である。
【００１２】
拡散体７における衝突面の形状としては、例えば図４の（ａ）ないし（ｄ）のように、長方形，半円形，六角形，台形等、種々採択することができる。
【００１３】
前記拡散体７の衝突面に対向するスリット６における対向面に、図１に虚線で示すように、誘導溝９と同様な誘導溝１０をほぼ面対称状態に形成してもよい。
【００１４】
また図５および図６に示すように、前記の誘導溝９（図９、１０では図示せず）に加えて、さらに該拡散体７における衝突面の下流部分の少なくとも前方に部分的に段差が０．２〜０．５ｍｍ程度の抵抗部１１を突設することにより、抵抗部１１以外の部分に誘導溝を形成したのと同様な効果を発揮させ、これにより両側方向への散水を助長すると共に、前方への散水を抑制し、長方形の散水域が実現するようにしてもよい。
【００１５】
拡散体７はノズル本体２と一つ物ではなく、図７（ａ）のように別体に製作してねじ１２により締め付けて固着し、あるいは図７（ｂ）のように刻み目付きのロールピン１３を打ち込み固着するようにしてもよい。
【００１６】
前記通液孔５における正面の拡散体７には通液孔５と同形な浅い凹穴１４を形成し、衝突により折り返した液流と通液孔５から噴出するジェット流との攪乱により乱流を発生させ、均斉な微細液滴の生成に役立てるのが望ましい。
【００１７】
ノズル本体２並びに拡散体７の材質については、ステンレススチール，黄銅，アルミニウム等の金属製が望ましいが、プラスチックでもよいのである。
【００１８】
本発明のノズルは、散水用として説明したが、薬液，養液，油液の散布にも適用することができ、散水以外の用途であっても本発明の範囲に属すること当然である。
【００１９】
【発明の効果】
以上説明したように、本発明によれば、次のような効果が得られる。
【００２０】
ノズル本体２の通液孔５からの放出ジェットを正面の拡散体７に衝突させることにより、拡散体７における衝突面に沿って偏向並びに分散させるようにした型式の散水用ノズルにおいて、拡散体７における衝突面に通液孔５に対応する軸心付近からＶ字を呈する放射状に誘導溝９を設けたから、これにより誘導溝９付近の指向方向における流量は増強され、長方形区域に散水することができ、従って、従来の円形散水，半円形散水用のノズルを並接設置する場合のような非効率な重複散水を生じることなく、図３（ａ）に示すように散水用ノズル１の設置個数を限定するにも拘らず、広い面積に均斉かつ効率よく散水することができる。
【００２１】
さらにノズル本体１の通液孔５からの放出ジェットを正面の拡散体７に衝突させることにより、拡散体７における衝突面に沿って偏向並びに分散させるようにした型式の散水用ノズルにおいて、拡散体７における衝突面の下流部分の少なくとも前方に部分的な抵抗部１１を突設し、前方への散水を抑制するようにすれば、両側方向への散水が助長されて長方形区域に散水することができ、従って、従来の円形散水，半円形散水用のノズルを並接設置する場合のような非効率な重複散水を生じることなく、図３（ａ）に示すように散水用ノズル１の設置個数を限定するにも拘らず、広い面積に均斉かつ効率よく散水することができる。
【００２２】
拡散体７をノズル本体２とは別体に製作して互いに固着するようにすると、ノズル本体２の諸加工並びに拡散体７における誘導溝８，抵抗部１１等の加工を容易に行うことができるばかりでなく、調整，メンテナンスも容易となる。
【図面の簡単な説明】
【図１】本発明の長方形散水用ノズルの縦断側面図である。
【図２】図１の線ＩＩ−ＩＩにおける断面図である。
【図３】本発明の長方形散水用ノズルと従来の散水用ノズルとを使用した比較平面図である。
【図４】拡散体の他の実施形態を示す断面図である。
【図５】本発明の他の実施形態を示す長方形散水用ノズルの縦断側面図である。
【図６】図５の線ＶＩ−ＶＩにおける断面図である。
【図７】本発明の更に他の実施形態を示す長方形散水用ノズルの縦断側面図である。
【符号の説明】
１  長方形散水用ノズル
２  ノズル本体
３  導液口
５  通液孔
６  スリット
７  拡散体
８  加圧液供給源
９  誘導溝
１１  抵抗部
【図１】
0004145992.tif 000002
【図２】
0004145992.tif 000003
【図３】
0004145992.tif 000004
【図４】
0004145992.tif 000005
【図５】
0004145992.tif 000006
【図６】
0004145992.tif 000007
【図７】
0004145992.tif 000008